【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
ユーザ端末に情報を伝達するための方法であって、
ユーザデータを取得するステップであって、前記ユーザデータが複数のユーザ活動場所および対応するユーザ活動時間を含む、ステップと、
前記ユーザ活動場所および前記ユーザ活動時間に基づいて第１の位置および第２の位置を識別するステップであって、第１の位置および第２の位置を識別することは、前記ユーザ活動場所を複数のクラスタにグループ化することを含み、前記クラスタのそれぞれは複数の地理的な位置を含む、ステップと、
前記第１の位置および前記第２の位置に基づいて移動経路を選択するステップと、
前記選択された移動経路に基づいてユーザ活動エリアを決定するステップと、
前記ユーザ活動エリアに基づいてコンテンツを前記ユーザ端末に送信するステップと
を含む、方法。
【請求項２】
第１の位置および第２の位置を識別するステップが、
前記ユーザ活動場所の各々に対して、前記ユーザ活動場所の各々に対応する前記ユーザ活動時間に基づいて活動時間帯を決定するステップであって、前記活動時間帯が複数の事前に定義された時間帯のうちの１つである、ステップと、
前記ユーザ活動場所の各々に対応する前記活動時間帯に基づいて前記第１の位置および前記第２の位置を識別するステップと
を含む、請求項１に記載の方法。
【請求項３】
第１の位置および第２の位置を識別するステップが、
前記ユーザ活動場所の第１のクラスタリング場所および第２のクラスタリング場所を取得するために、クラスタリングアルゴリズムを使用するステップと、
各クラスタリング場所に含まれる場所に基づいて、各クラスタリング場所に対応する凝集ポイントを取得するステップと
を含む、請求項１に記載の方法。
【請求項４】
前記クラスタリングアルゴリズムが、Ｋ平均法アルゴリズム、凝集型階層的クラスタリングアルゴリズムまたは雑音を適用した密度に基づく空間クラスタリング（ＤＢＳＣＡＮ）アルゴリズムを含む、請求項３に記載の方法。
【請求項５】
各クラスタリング場所に対応する凝集ポイントを取得するステップが、各クラスタリング場所に含まれる前記場所の分散、算術平均または幾何平均を計算するステップを含む、請求項３に記載の方法。
【請求項６】
ナビゲーションソフトウェアアプリケーションまたは地図ソフトウェアアプリケーションが、前記第１の位置と前記第２の位置との間の前記移動経路を選択する際に使用される、請求項１に記載の方法。
【請求項７】
前記第１の位置と前記第２の位置との間の前記移動経路が、ナビゲーションソフトウェアアプリケーションまたは地図ソフトウェアアプリケーションのユーザの好み設定に基づいて選択される、請求項１に記載の方法。
【請求項８】
ユーザ活動エリアを決定するステップが、
プリセット間隔で前記移動経路上の複数のポイントを選択するステップと、
前記複数のポイントの各々を中心として取り入れ、かつプリセット半径値を使用することにより、複数の円を生成するステップと、
前記複数の円で囲まれたエリアを前記ユーザ活動エリアとして決定するステップと
を含む、請求項１に記載の方法。
【請求項９】
ユーザ活動エリアを決定するステップが、
プリセット間隔で前記移動経路上の複数のポイントを選択するステップと、
前記複数のポイントの各々において、前記移動経路に垂直な線を生じさせることにより、複数の線を生成するステップであって、前記線が、前記移動経路の両側において前記移動経路からプリセット距離だけ離れて延びる、ステップと、
多角形を取得するために前記移動経路の両側の前記複数の線のエンドポイントを接続するステップと、
前記多角形で囲まれたエリアを前記ユーザ活動エリアとして決定するステップと
を含む、請求項１に記載の方法。
【請求項１０】
前記ユーザ端末に送信された前記コンテンツが、前記ユーザ活動エリアの商人によって提供された商人情報、または前記ユーザ活動エリアにおける進行中の活動もしくは近く行われる活動についての情報を含む、請求項１に記載の方法。
【請求項１１】
ユーザデータを取得するように構成された取得ユニットであって、前記ユーザデータが複数のユーザ活動場所および対応するユーザ活動時間を含む、取得ユニットと、
前記ユーザ活動場所および前記ユーザ活動時間に基づいて第１の位置および第２の位置を識別するように構成された識別ユニットであって、第１の位置および第２の位置を識別することは、前記ユーザ活動場所を複数のクラスタにグループ化することを含み、前記クラスタのそれぞれは複数の地理的な位置を含む、識別ユニットと、
前記第１の位置および前記第２の位置に基づいて移動経路を選択するように構成された選択ユニットと、
前記選択された移動経路に基づいてユーザ活動エリアを決定するように構成された決定ユニットと、
前記ユーザ活動エリアに基づいてコンテンツをユーザ端末に送信するように構成された送信ユニットと
を含む、サーバ。
【請求項１２】
前記識別ユニットが、
前記ユーザ活動場所の各々に対して、前記ユーザ活動場所の各々に対応する前記ユーザ活動時間に基づいて活動時間帯を決定するように構成された時間帯決定サブユニットであって、前記活動時間帯が複数の事前に定義された時間帯のうちの１つである、時間帯決定サブユニットと、
前記ユーザ活動場所の各々に対応する前記活動時間帯に基づいて、前記第１の位置および前記第２の位置を識別するように構成された位置決定サブユニットと
を含む、請求項１１に記載のサーバ。
【請求項１３】
前記識別ユニットが、
前記ユーザ活動場所の第１のクラスタリング場所および第２のクラスタリング場所を取得するために、クラスタリングアルゴリズムを使用するように構成されたクラスタリングサブユニットと、
各クラスタリング場所に含まれる場所に基づいて、各クラスタリング場所に対応する凝集ポイントを取得するように構成された凝集サブユニットと
を含む、請求項１１に記載のサーバ。
【請求項１４】
前記クラスタリングアルゴリズムが、Ｋ平均法アルゴリズム、凝集型階層的クラスタリングアルゴリズムまたは雑音を適用した密度に基づく空間クラスタリング（ＤＢＳＣＡＮ）アルゴリズムを含む、請求項１３に記載のサーバ。
【請求項１５】
前記凝集サブユニットが、前記凝集ポイントを取得するために、各クラスタリング場所に含まれる前記場所の分散、算術平均または幾何平均を計算するように構成される、請求項１３に記載のサーバ。 
【請求項１６】
前記選択ユニットが、ナビゲーションソフトウェアアプリケーションまたは地図ソフトウェアアプリケーションを使用して、前記第１の位置と前記第２の位置との間の前記移動経路を選択するように構成される、請求項１１に記載のサーバ。
【請求項１７】
前記選択ユニットが、ナビゲーションソフトウェアアプリケーションまたは地図ソフトウェアアプリケーションのユーザの好み設定に基づいて、前記第１の位置と前記第２の位置との間の前記移動経路を選択するように構成される、請求項１１に記載のサーバ。
【請求項１８】
前記決定ユニットが、
プリセット間隔で前記移動経路上の複数のポイントを選択することと、
前記複数のポイントの各々を中心として取り入れ、かつプリセット半径値を使用することにより、複数の円を生成することと、
前記複数の円で囲まれたエリアを前記ユーザ活動エリアとして決定することと
を行うように構成された第１の決定サブユニットを含む、請求項１１に記載のサーバ。
【請求項１９】
前記決定ユニットが、
プリセット間隔で前記移動経路上の複数のポイントを選択することと、
前記複数のポイントの各々において、前記移動経路に垂直な線を生じさせることにより、複数の線を生成することであって、前記線が、前記移動経路の両側において前記移動経路からプリセット距離だけ離れて延びる、生成することと、
多角形を取得するために前記移動経路の両側の前記複数の線のエンドポイントを接続することと、
前記多角形で囲まれたエリアを前記ユーザ活動エリアとして決定することと
を行うように構成された第２の決定サブユニットを含む、請求項１１に記載のサーバ。
【請求項２０】
前記ユーザ端末に送信された前記コンテンツが、前記ユーザ活動エリアの商人によって提供された商人情報、または前記ユーザ活動エリアにおける進行中の活動もしくは近く行われる活動についての情報を含む、請求項１１に記載のサーバ。
【請求項２１】
命令の組を記憶する非一時的コンピュータ可読媒体であって、前記命令は、サーバの少なくとも一つのプロセッサによって、前記サーバに、ユーザ端末に情報を伝達するための方法を実行させるように、実行可能であり、前記方法は、
ユーザデータを取得するステップであって、前記ユーザデータが複数のユーザ活動場所および対応するユーザ活動時間を含む、ステップと、
前記ユーザ活動場所および前記ユーザ活動時間に基づいて第１の位置および第２の位置を識別するステップであって、第１の位置および第２の位置を識別することは、前記ユーザ活動場所を複数のクラスタにグループ化することを含み、前記クラスタのそれぞれは複数の地理的な位置を含む、ステップと、
前記第１の位置および前記第２の位置に基づいて移動経路を選択するステップと、
前記選択された移動経路に基づいてユーザ活動エリアを決定するステップと、
前記ユーザ活動エリアに基づいてコンテンツを前記ユーザ端末に送信するステップと
を含む、非一時的コンピュータ可読媒体。